(57)【要約】【課題】被挟持物の挟持状態を維持するのに必要な挟持力を安定且つ継続して付加することができるピンセットを提供する。【解決手段】ピンセット１の挟持部２，３を閉状態に弾性変位させ、挟持部２の突起２ｄを挟持部３の孔部３ｄに挿入する。挟持部２，３により被挟持物Ａを挟持した後、係止部材４を突起２ｄに対して係止される方向へ移動させ、係止片４ａを孔部３ｄに挿入された突起２ｄの溝部２ｅに係止して、挟持部２，３を、被挟持物Ａの挟持が維持される閉状態に矯正し、挟持部２，３による被挟持物Ａの挟持状態を維持する。一方、係止部材４を突起２ｄに対して係止が解除される方向へ移動させ、係止部材４の係止片４ａを孔部３ｄに挿入された突起２ｄの溝部２ｅから抜き取ると、挟持部２，３は、被挟持物Ａの挟持が解除される開状態に弾性復帰するので、被挟持物Ａの挟持が解除される。【選択図】図２
2007331082.tif 000002
【特許請求の範囲】
【請求項１】
被挟持物が挟持される閉状態と、該被挟持物の挟持が解除される開状態とに弾性変位可能な一対の挟持部を備えたピンセットであって、
上記一方の挟持部の内側中央面に、他方の挟持部の内側中央面と対向する方向に向けて突起を突設し、
上記他方の挟持部の内側中央面に、上記一方の挟持部に設けた突起が挿入される孔部を設け、
上記他方の挟持部外面に、上記孔部に挿入された突起に対して係止される係止部材を設け、
上記係止部材を、上記孔部に挿入された突起に対して係止される前進位置と、該突起に対する係止が解除される後退位置とに前後移動自在に設けた
ピンセット。
【請求項２】
上記係止部材と対向する突起の一側面に、該係止部材が係止される溝部を設けた
請求項１に記載のピンセット。
【請求項３】
上記突起の溝部を、該突起の一側面に沿って長さ方向に対して所定等間隔に隔てて複数設けた
請求項２に記載のピンセット。
【請求項４】
上記係止部材の端部に、上記孔部に挿入された突起の溝部に対して係止される係止片を設けた
請求項２又は３に記載のピンセット。
【請求項５】
上記孔部の一側縁部に、上記孔部に挿入された突起に対して係止される方向に向けて上記係止部材の係止片を案内する案内溝を設けた
請求項４に記載のピンセット。
【請求項６】
上記他方の挟持部外面と上記係止部材内面との間に、上記孔部に挿入された突起に対して係止される位置に上記係止部材を規制する規制手段を設けた
請求項１に記載のピンセット。
【発明の詳細な説明】
【技術分野】
【０００１】
この発明は、例えばガーゼ、脱脂綿、注射針等の医療用品、或いは、糸、針、布地等の縫製用品、或いは、半導体、ＩＣ等の電子部品、模型、時計、精密機器等の組立て部品を挟持する際に用いられるピンセットに関する。
【背景技術】
【０００２】
従来、上述のピンセットとしては、例えばネジ回転部を回動操作して、ネジ回転部中心に固定したネジ部の正逆回転により、ピンセット可動部が固定されたナット部をネジ部に沿って軸方向へ移動させ、ピンセット固定部とピンセット可動部の間隔、すなわち、ピンセット先端の開き幅を調整する。調整後において、ピンセット固定部とピンセット可動部を指により押圧して、対象物が挟持される間隔に弾性変位させ、ピンセット固定部及びピンセット可動部により対象物を挟持する特許文献１のピンセットがある。
【特許文献１】特開平６−１５５３１７号公報
【発明の開示】
【発明が解決しようとする課題】
【０００３】
しかし、特許文献１のピンセットにより挟持した対象物を所定の場所へ移動させる際に、ピンセット固定部とピンセット可動部を、対象物が挟持される間隔に弾性変位させた状態に維持するが、指による押圧力を一定に保ったり、その押圧力を継続して付加することが難しい。移動途中において、ピンセット固定部とピンセット可動部に付加される指の押圧力が弱くなると、ピンセットによる挟持力が低下するため、対象物の挟持位置が変位したり、ズレ落ちたりすることがあり、対象物の挟持状態を維持することが難しい。また、予めネジ回動部を回動操作して、ピンセット先端の開き幅を対象物の大きさよりも少し大きめに調整するが、対象物の大きさに合わせた間隔に可変調整する作業に手間及び時間が掛かる。
【０００４】
この発明は上記問題に鑑み、被挟持物の挟持状態を維持するのに必要な挟持力を安定且つ継続して付加することができるピンセットの提供を目的とする。
【課題を解決するための手段】
【０００５】
請求項１に記載した発明のピンセットは、被挟持物が挟持される閉状態と、該被挟持物の挟持が解除される開状態とに弾性変位可能な一対の挟持部を備えたピンセットであって、上記一方の挟持部の内側中央面に、他方の挟持部の内側中央面と対向する方向に向けて突起を突設し、上記他方の挟持部の内側中央面に、上記一方の挟持部に設けた突起が挿入される孔部を設け、上記他方の挟持部外面に、上記孔部に挿入された突起に対して係止される係止部材を設け、上記係止部材を、上記孔部に挿入された突起に対して係止される前進位置と、該突起に対する係止が解除される後退位置とに前後移動自在に設けたことを特徴とする。
【０００６】
この発明によると、一対の挟持部を指により押圧して閉状態に弾性変位させ、一方の挟持部の突起を他方の挟持部の孔部に挿入して、一対の挟持部により被挟持物を挟持する。この後、係止部材を、孔部に挿入された突起に対して係止される前進位置に移動させ、係止部材を孔部に挿入された突起に係止することにより、一対の挟持部は、被挟持物の挟持が維持される閉状態に矯正され、被挟持物の挟持状態を維持するのに必要な挟持力を安定且つ継続して付加することができる。一方、係止部材を、突起に対して係止が解除される後退位置に移動することにより、一対の挟持部は、被挟持物の挟持が解除される開状態に弾性復帰し、被挟持物の挟持が解除される。
【０００７】
また、一対の挟持部により被挟持物を挟持した際に、一方の挟持部の突起と、他方の挟持部の孔部とを互いに係合して、各挟持部の先端部挟持面を被挟持物が挟持される方向に規制するので、各挟持部が面方向に変位することがなく、被挟持物の挟持位置が変位したり、ズレ落ちたりするのを防止することができる。
【０００８】
上記ピンセットは、例えば金属、プラスチック、セラミックス等の単一又は複合した材質で構成することができる。また、被挟持物は、例えばガーゼ、脱脂綿、注射針等の医療用品、糸、針、布地等の縫製用品、半導体、ＩＣ等の電子部品、模型、時計、精密機器等の組立て部品で構成することができる。
【０００９】
なお、上記医療用品、縫製用品、組立て部品のみに限定されるものではなく、ピンセットにより挟持可能な大きさ、形状、厚み、重量を有するもので構成することができる。
【００１０】
請求項２に記載した発明のピンセットは、上記請求項１に記載の構成と併せて、上記係止部材と対向する突起の一側面に、該係止部材が係止される溝部を設けたことを特徴とする。
【００１１】
この発明によると、係止部材を、孔部に挿入された突起に対して係止される前進位置に移動させ、係止部材を孔部に挿入された突起の溝部に係止するので、一対の挟持部による被挟持物の挟持状態を維持することができる。
【００１２】
請求項３に記載した発明のピンセットは、上記請求項２に記載の構成と併せて、上記突起の溝部を、上記突起外面に沿って長さ方向に対して所定等間隔に隔てて複数設けたことを特徴とする。
【００１３】
この発明によると、係止部材を、突起の根元付近から先端付近の間に配列した一つの溝部に係止することにより、一対の挟持部を、被挟持物の挟持状態を維持するのに適した間隔に可変調節することができる。
【００１４】
請求項４に記載した発明のピンセットは、上記請求項２又は３に記載の構成と併せて、上記係止部材の端部に、上記孔部に挿入された突起の溝部に対して係止される係止片を設けたことを特徴とする。
【００１５】
この発明によると、係止部材を、孔部に挿入された突起に対して係止される前進位置に移動させ、係止部材の係止片を孔部に挿入された突起の溝部に係止するので、一対の挟持部が開状態に復帰しようとする復元力により、突起が孔部から抜き取られる方向へ移動しようとするほど、溝部に対して係止片が食い込み状態に係止され、孔部に挿入した突起が抜き取り方向へ移動するのを阻止することができる。
【００１６】
請求項５に記載した発明のピンセットは、上記請求項４に記載の構成と併せて、上記孔部の一側縁部に、上記孔部に挿入された突起に対して係止される方向に向けて上記係止部材の係止片を案内する案内溝を設けたことを特徴とする。
【００１７】
この発明によると、係止部材を、案内溝により孔部に挿入された突起に対して係止される方向に向けて案内又は誘導するので、係止部材を、孔部に挿入された突起に対して確実に係止することができる。
【００１８】
上記案内溝は、係止部材が孔部に挿入された突起に対して係止される方向に向けて案内される溝幅及び形状に形成している。また、案内溝の案内面を、例えば係止部材の後退位置（図４参照）から前進位置（図５参照）に向けて徐々に低くなるような斜面形状に形成するか、滑らかな曲面形状に形成する等してもよい。
【００１９】
請求項６に記載した発明のピンセットは、上記請求項１に記載の構成と併せて、上記他方の挟持部外面と上記係止部材内面との間に、上記孔部に挿入された突起に対して係止される位置に上記係止部材を規制する規制手段を設けたことを特徴とする。
【００２０】
この発明によると、係止部材を、孔部に挿入された突起に対して係止した際に、規制手段により突起に対して係止された位置に規制するので、一対の挟持部による被挟持物の挟持状態を維持することができる。
【００２１】
上記規制手段は、例えば係合部と窪み部、凹部と凸部、突起と溝部等の係合構造、或いは、ネジ部材、マグネット等の固定部材で構成することができる。
【発明の効果】
【００２２】
この発明によれば、一対の挟持部により被挟持物を挟持した際に、一方の挟持部の突起を他方の挟持部の孔部に挿入し、係止部材を孔部に挿入された突起に係止して抜止めすることにより、一対の挟持部を被挟持物の挟持が維持される閉状態に矯正することができ、各挟持部に付加される指の押圧力が弱くなるか、その押圧が解除される等しても、一対の挟持部による挟持力が低下せず、被挟持物の挟持状態を維持するのに必要な挟持力を安定且つ継続して付加することができる。
【００２３】
また、被挟持物を所定の場所へ移動させる途中において、被挟持物の挟持位置が変位するか、ズレ落ちたりすることがなく、被挟持物の挟持状態を維持することができる。また、一対の挟持部を、被挟持物が挟持される閉状態と、その挟持が解除される開状態とに変位させる操作が簡単且つ容易に行える。
【発明を実施するための最良の形態】
【００２４】
この発明は、被挟持物の挟持状態を維持するのに必要な挟持力を安定且つ継続して付加することができるという目的を、一対の挟持部により被挟持物を挟持した際に、一方の挟持部の突起を他方の挟持部の孔部に挿入し、係止部材を孔部に挿入された突起に係止して、一対の挟持部を被挟持物の挟持が維持される閉状態に矯正することで達成した。
【実施例】
【００２５】
この発明の一実施例を以下図面に基づいて詳述する。
【００２６】
図面は、被挟持物の挟持状態を維持するのに必要な挟持力を安定且つ継続して付加する機能を備えた金属製のピンセットを示している。
【００２７】
図１〜図３に示すピンセット１は、被挟持物Ａの挟持が許容される大きさ及び長さに形成した一対の挟持部２，３の基端部を一体的に接合固定して、被挟持物Ａの挟持が許容される閉状態と、被挟持物Ａの挟持が解除される開状態とに弾性変位自在に設けている。なお、挟持部２，３の基端部は、例えばリベット、ネジ等により一体的に固定してもよい。
【００２８】
挟持部２，３の先端部は、先端方向に向けて徐々に肉厚が薄くなり、且つ、先細となるように形成している。つまり、例えば肉厚の薄い物、小さい物等の挟持が容易に行えるように設けている。
【００２９】
挟持部２，３の先端部挟持面には、滑り止め用の突起部２ａ，３ａを幅方向に向けて略平行にそれぞれ設けるとともに、該突起部２ａ，３ａを、挟持部２，３の挟持面に沿って長さ方向に対して所定等間隔に隔てて複数配列している。
【００３０】
挟持部２，３全長の略中央部分に設けた把持部２ｂ，３ｂ外面には、図４に示すように、滑り止め用の窪み部２ｃ，３ｃを幅方向に向けて略平行にそれぞれ設けるとともに、該窪み部２ｃ，３ｃを、把持部２ｂ，３ｂ外面に沿って長さ方向に対して所定等間隔に隔てて複数配列している。
【００３１】
一方の挟持部２の内側中央面には、他方の挟持部３の内側中央面と対向する方向に向けて円柱状の突起２ｄを突設している。
【００３２】
突起２ｄは、挟持部３の内側中央面に設けた孔部３ｄに対して挿入が許容される大きさ及び形状に形成するとともに、挟持部３の厚みよりも長尺となる寸法に形成している。つまり、挟持部２，３を被挟持物Ａが挟持される閉状態に弾性変位させた際に、挟持部２の突起２ｄ先端が挟持部３の孔部３ｄよりも外側に突出される。なお、突起２ｄの全長を、孔部３ｄの深さと略同じ寸法又は短尺寸法に形成してもよい。
【００３３】
後述する係止部材４の係止片４ａと対向する突起２ｄの一側面には、係止片４ａの係止が許容される溝部２ｅを円周方向に設けるとともに、該溝部２ｅを、突起２ｄの一側面に沿って長さ方向に対して所定等間隔に隔てて複数配列している。
【００３４】
溝部２ｅは、係止片４ａの係止が許容される大きさ及び形状に形成するとともに、係止片４ａが食い込み状態に係止される溝形状及び溝深さに設けている。
【００３５】
つまり、挟持部２，３が開状態に復帰しようとする復元力により、突起２ｄが孔部３ｄから抜き取られる方向へ移動しようとするほど、溝部２ｅに対して係止片４ａが食い込み状態に係止され、孔部３ｄに挿入した突起２ｄが抜き取り方向へ移動するのを阻止する。
【００３６】
挟持部３の内側中央面には、一方の挟持部２に突設した突起２ｄと対向して、該突起２ｄの挿入が許容される孔部３ｄを設けている。
【００３７】
孔部３ｄは、突起２ｄの挿入が許容される大きさ及び形状に形成している。また、孔部３ｄの一側縁部には、孔部３ｄに挿入された突起２ｄの溝部２ｅに対して係止される方向に向けて後述する係止部材４の係止片４ａを案内する案内溝３ｅを設けている。
【００３８】
案内溝３ｅは、突起２ｄの溝部２ｅに対して係止される方向に向けて係止片４ａを案内する溝幅及び形状に形成するとともに、案内溝３ｅの案内面を、後述する係止部材４の後退位置（図５参照）から前進位置（図４参照）に向けて徐々に低くなるような斜面形状に形成している。なお、案内溝３ｅの案内面を、上記後退位置から前進位置に向けて徐々に低くなるような滑らかな曲面形状に形成してもよい。
【００３９】
挟持部３の把持部３ｂ外面には、孔部３ｄに挿入された突起２ｄの溝部２ｅに対して係止される筒状の係止部材４を装着している。
【００４０】
係止部材４は、孔部３ｄに挿入された突起２ｄの溝部２ｅに対して係止片４ａが係止される前進位置と、該溝部２ｅに対する係止片４ａの係止が解除される後退位置とに前後移動自在に設けている。
【００４１】
係止部材４の端部には、孔部３ｄに挿入される突起２ｄの一側面と対向して、突起２ｄの溝部２ｅに対して係止される係止片４ａを突設している。
【００４２】
係止片４ａは、突起２ｄの溝部２ｅに対して係止される大きさ及び形状に形成するとともに、突起２ｄが孔部３ｄから抜き取られる方向へ移動しようとするほど、係止片４ａ先端が溝部２ｅに対して食い込み状態に係止されるように設けている。
【００４３】
把持部３ｂ外面と対向する係止部材４の内面中央部には、把持部３ｂ外面に設けた一つの窪み部３ｃに対して係合される凸状の係合部４ｂを設けている。
【００４４】
係合部４ｂは、係止部材４を、突起２ｄの溝部２ｅに対して係止片４ａが係止された位置に規制するのに必要な係合力を有するとともに、把持部３ｂ外面に配列した窪み部３ｃ…の乗り越えが許容される状態に弾性変位可能に設けている。
【００４５】
つまり、係止部材４を、突起２ｄの溝部２ｅに対して係止片４ａが係止される方向と、溝部２ｅに対する係止片４ａの係止が解除される方向へ前後移動する場合、係合部４ｂを弾性変位させて、把持部３ｂの窪み部３ｃ…を順に乗り越えさせる。また、窪み部３ｃと係合部４ｂの係合力により、係止部材４を、突起２ｄの溝部２ｅに対して係止片４ａが係止された位置に規制する。
【００４６】
図示実施例は上記の如く構成するものにして、以下、ピンセット１により被挟持物Ａを挟持する方法を説明する。
【００４７】
先ず、図１に示すピンセット１の挟持部２，３を指により外側から押圧して、挟持部２，３を、図２の仮想線に示す開状態から、実線に示す閉状態に弾性変位させ、挟持部２の突起２ｄを挟持部３の孔部３ｄに挿入する。
【００４８】
被挟持物Ａを、挟持部２，３の先端部挟持面により挟持した後、係止部材４を後退位置（図５参照）から前進位置（図４参照）へスライド移動するとともに、係止部材４の係合部４ｂを弾性変位させて、把持部３ｂの窪み部３ｃ…を順に乗り越えさせることにより、係止部材４を、孔部３ｄに挿入された突起２ｄの溝部２ｅに対して係止される方向へ前進移動させる。
【００４９】
係止部材４の係止片４ａを、孔部３ｄに挿入された突起２ｄの溝部２ｅに係止して、挟持部２，３を、被挟持物Ａの挟持が維持される閉状態に矯正する。把持部３ｂの窪み部３ｃと係止部材４の係合部４ｂを係合して、係止部材４を、突起２ｄの溝部２ｅに対して係止片４ａが係止された位置に規制する。
【００５０】
つまり、係止部材４を、突起２ｄの溝部２ｅに対する係止片４ａの係止が解除される方向へ後退移動して、係止片４ａを突起２ｄの溝部２ｅから抜き取らなければ、挟持部２の突起２ｄを挟持部３の孔部３ｄから引き抜くことができない。
【００５１】
突起２ｄの溝部２ｅに対して係止片４ａを係止している間は、挟持部２，３に付加される指の押圧力が弱くなるか、その押圧が解除される等しても、一対の挟持部２，３は、被挟持物Ａの挟持が解除される開状態に弾性復帰しない。
【００５２】
また、挟持部２，３による挟持力も低下しないので、被挟持物Ａの挟持状態を維持するのに必要な挟持力を安定且つ継続して付加することができ、図３に示すように、挟持部２，３による被挟持物Ａの挟持状態を維持することができる。なお、ピンセット１を手から離したり、手から落とす等しても、被挟持物Ａの挟持は解除されない。
【００５３】
また、一対の挟持部２，３により被挟持物Ａを挟持した際に、一方の挟持部２の突起２ｄと、他方の挟持部３の孔部３ｄとを互いに係合して、挟持部２，３の先端部挟持面を被挟持物Ａが挟持される方向に規制するので、被挟持物Ａを所定の場所へ移動させる途中において、挟持部２，３の先端部挟持面が面方向に変位することがなく、被挟持物Ａの挟持位置が変位したり、ズレ落ちたりするのを防止することができる。
【００５４】
一方、被挟持物Ａの挟持を解除する場合、係止部材４を前進位置（図４参照）から後退位置（図５参照）へスライド移動するとともに、係止部材４の係合部４ｂを弾性変位させて、把持部３ｂの窪み部３ｃ…を順に乗り越えさせることにより、係止部材４を、突起２ｄの溝部２ｅに対する係止片４ａの係止が解除される方向へ後退移動させ、溝部２ｅから係止片４ａを抜き取る。
【００５５】
係止部材４の係止片４ａを孔部３ｄに挿入された突起２ｄの溝部２ｅから抜き取れば、挟持部２の突起２ｄを挟持部３の孔部３ｄから引き抜くことができる。
【００５６】
突起２ｄの溝部２ｅから係止片４ａが抜き取られると同時に、挟持部２，３は、図２の実線に示す閉状態から、仮想線に示す開状態に弾性復帰するので、挟持部２，３による被挟持物Ａの挟持が解除され、ピンセット１の挟持部２，３は、図１に示す状態に復帰する。
【００５７】
係止部材４を、孔部３ｄに挿入された突起２ｄに係止される前進位置と、該突起２ｄに対する係止が解除される後退位置とに前後移動するだけであるため、一対の挟持部２，３を、被挟持物Ａが挟持される閉状態と、その挟持が解除される開状態とに変位させる操作が簡単且つ容易に行える。
【００５８】
また、肉厚が薄い被挟持物Ａを挟持する場合、係止部材４の係止片４ａを、突起２ｄの根元付近に設けた溝部２ｅに係止して、挟持部２，３を、肉厚が薄い被挟持物Ａの挟持が維持される状態に矯正する。
【００５９】
肉厚が厚い被挟持物Ａを挟持する場合、係止部材４の係止片４ａを、突起２ｄの先端付近に設けた溝部２ｅに係止すれば、挟持部２，３を、肉厚が厚い被挟持物Ａの挟持が維持される状態に矯正する。
【００６０】
つまり、係止部材４の係止片４ａを、突起２ｄの根元付近から先端付近の間に配列した一つの溝部２ｅに係止することにより、挟持部２，３を、様々な肉厚の被挟持物Ａの挟持状態を維持するのに適した間隔に可変調節することができる。
【００６１】
図６は、ピンセット１の他の例を示し、被挟持物Ａを挟持部２，３により挟持して、挟持部２の突起２ｄを挟持部３の孔部３ｄに挿入した後、係止部材４を、孔部３ｄに挿入された突起２ｄに対して係止される方向へ前進移動させ、係止部材４の係止片４ａを、突起２ｄに設けた一つの溝部２ｅに係止して、挟持部２，３を、被挟持物Ａの挟持が維持される閉状態に矯正するので、上記実施例と略同等の作用及び効果を奏することができる。
【００６２】
この発明の構成と、上述の実施例との対応において、  
この発明の規制手段は、実施例の係止部材４の係合部４ｂと、挟持部３の窪み部３ｃに対応するも、  
この発明は、上述の実施例の構成のみに限定されるものではなく、請求項に示される技術思想に基づいて応用することができ、多くの実施の形態を得ることができる。
【００６３】
上記窪み部３ｃと係合部４ｂに代わる規制手段として、例えば板バネ、ゴム等の弾性体を窪み部３ｃに係合するか、コイルスプリング、板バネ等の弾性体により付勢された球状係合体を窪み部３ｃに係合する等してもよい。
【００６４】
また、係止部材４に螺合したネジ部材を挟持部３外面に当接するか、或いは、ネジ部材、マグネット等の固定部材により挟持部３と係止部材４を固定する等してもよい。
【図面の簡単な説明】
【００６５】
【図１】ピンセットの全体構成を示す斜視図。
【図２】一対の挟持部を開状態及び閉状態に弾性変位する動作を示す斜視図。
【図３】一対の挟持部による被挟持物の挟持状態を示す斜視図。
【図４】突起に対する係止部材の係止を解除した状態を示す拡大断面図。
【図５】突起に対して係止部材を係止した状態を示す拡大断面図。
【図６】ピンセットの他の例を示す拡大断面図。
【符号の説明】
【００６６】
Ａ…被挟持物
１…ピンセット
２，３…挟持部
２ａ，３ａ…突起部
２ｂ，３ｂ…把持部
２ｃ，３ｃ…窪み部
２ｄ…突起
２ｅ…溝部
３ｄ…孔部
３ｅ…案内溝
４…係止部材
４ａ…係止片
４ｂ…係合部
【図１】
2007331082.tif 000003
【図２】
2007331082.tif 000004
【図３】
2007331082.tif 000005
【図４】
2007331082.tif 000006
【図５】
2007331082.tif 000007
【図６】
2007331082.tif 000008